(57)【要約】【課題】ディスクドライブユニットを精度よく位置決め固定でき、固定したディスクドライブユニットの側に無理な応力が加わることのないホルダーを提供すること。【解決手段】ホルダー１０は、ホルダー面１４と、ホルダー面１４から突出した状態に形成され、ディスクドライブユニット１をホルダー面１４から所定高さ位置に位置決め可能な少なくとも３つの位置決め用突出部１５と、ホルダー面１４から突出した状態に形成され、位置決め用突出部１５によって位置決めされたディスクドライブユニット１にホルダー面１４に沿った方向からネジ締め固定可能な例えば４つの固定用突出部１６とを備えている。【選択図】図４
2015015066.tif 000002
【特許請求の範囲】
【請求項１】
ホルダー面と、
前記ホルダー面から突出した状態に形成され、ディスクドライブユニットを前記ホルダー面から所定高さ位置に位置決め可能な少なくとも３つの位置決め用突出部と、
前記ホルダー面から突出した状態に形成され、前記位置決め用突出部に載せることによって位置決めされた前記ディスクドライブユニットに、前記ホルダー面に沿った方向からネジ締め固定可能な固定用突出部と、
を備えていることを特徴とするディスクドライブユニットのホルダー。
【請求項２】
金属板からなるホルダー本体板部分を有し、
前記ホルダー本体板部分における一方の面が前記ホルダー面であり、
前記位置決め用突出部のそれぞれは、前記ホルダー本体板部分の一部を前記ホルダー面から突出する突出方向に曲げ起こして形成された位置決め用突出片であり、
前記固定用突出部のそれぞれは、前記ホルダー本体板部分の一部を前記ホルダー面から前記突出方向に曲げ起こして形成された固定用突出片である、
請求項１に記載のディスクドライブユニットのホルダー。
【請求項３】
前記位置決め用突出片として、第１〜第３位置決め用突出片を備え、
前記固定用突出片として、第１〜第４固定用突出片を備え、
前記第１固定用突出片と前記第２固定用突出片は、前記ホルダー面に沿った方向である第１方向に離れた位置に配置され、
前記第３固定用突出片と前記第４固定用突出片は、前記第１方向に離れた位置に配置され、
前記第１、第２固定用突出片に対して、前記第３、第４固定用突出片は、前記第１方向に直交する前記ホルダー面に沿った方向である第２方向に離れた位置に配置され、
前記第１、第２位置決め用突出片は、前記第１方向において、前記第１、第２固定用突出片の間において相互に離れた位置に配置され、
前記第３位置決め用突出片は、前記第１方向において、前記第３、第４固定用突出片の間の位置に配置されている、
請求項２に記載のディスクドライブユニットのホルダー。
【請求項４】
前記固定用突出片は、
固定用のネジが通される貫通穴が形成された本体部と、
前記ホルダー本体板部分に繋がっている根元部と、
を備え、
前記根元部は、前記本体部に比べて、撓みやすい形状に設定されている、
請求項２または３に記載のディスクドライブユニットのホルダー。
【請求項５】
前記ホルダー本体板部分における前記根元部の内側の部位が切り起こされて１つの前記位置決め用突出片が形成されている請求項４に記載のディスクドライブユニットのホルダー。
【請求項６】
ディスクドライブユニットが搭載される搭載部に取り付けるために設けたホルダー側取付け部を有し、
当該ホルダー側取付け部は、
前記搭載部に対してネジ締め固定される第１、第２および第３ホルダー側取付け部と、
前記搭載部に電気的に接続されるホルダー側導通部と、
を備えている請求項２ないし５のうちのいずれか一つの項に記載のディスクドライブユニットのホルダー。
【請求項７】
前記ホルダー側取付け部は、
前記ホルダー本体板部分における前記第１方向の一方の端から前記突出方向とは逆の方向に延びる第１側板部分および第２側板部分と、
前記ホルダー本体部分における前記第１方向における他方の端から前記突出方向とは逆方向に延びる第３側板部分および第４側板部分と、
を備え、
前記第１ホルダー側取付け部は前記第１側板部分と連結され、
前記第２ホルダー側取付け部は前記第２側板部分と連結され、
前記第３ホルダー側取付け部は前記第３側板部分と連結され、
前記第４ホルダー側導通部は前記第４側板部分と連結されている、
請求項６に記載のディスクドライブユニットのホルダー。
【請求項８】
前記ホルダー本体板部分における前記第４側板部分に繋がっている部分は、当該ホルダー本体板部分における前記第１〜第３側板部分に繋がっている部分に比べて、撓みやすい形状に設定されている請求項７に記載のディスクドライブユニットのホルダー。
【請求項９】
ディスクドライブユニットを基板に設定した搭載位置に取り付けるディスクドライブユニットの取付け構造であって、
請求項６ないし８のうちのいずれか一つの項に記載のホルダーを有し、
前記ディスクドライブユニットホルダーの前記位置決め用突出部によって、前記ホルダー面から所定の高さ位置に位置決めされた状態で、前記固定用突出部のそれぞれにディスクドライブユニットが固定され、
前記ディスクドライブユニットが位置決め固定された前記ホルダーの前記ホルダー側取付け部のそれぞれが前記搭載位置に固定されていることを特徴とするディスクドライブユニットの取付け構造。
【請求項１０】
前記基板には発熱源を覆うヒートシンクが搭載され、
前記ヒートシンクと前記ディスクドライブユニットの間が、前記ホルダー本体板部分によって仕切られた状態で、前記ホルダーが前記基板に固定される請求項９に記載のディスクドライブユニットの取付け構造。
【請求項１１】
前記基板には前記ヒートシンクに向けて冷却風を送る冷却ファンが搭載され、
前記ディスクドライブユニットと前記ホルダーの前記ホルダー本体板部分の間の隙間が前記冷却ファンの吹き出し口に対峙する状態に、前記ホルダーが前記基板に固定される請求項１０に記載のディスクドライブユニットの取付け構造。
【請求項１２】
請求項９ないし１１のうちのいずれか一つに記載のディスクドライブユニットの取付け構造によってディスクドライブユニットが基板に搭載されていることを特徴とする電子機器。
【請求項１３】
請求項９ないし１１のうちのいずれか一つに記載のディスクドライブユニットの取付け構造によってディスクドライブユニットが基板に搭載されていることを特徴とするプリンター。
【発明の詳細な説明】
【技術分野】
【０００１】
本発明は、コンピューターの記憶装置としてコンピューターに組み込まれるハードディスクドライブなどのディスクドライブユニットを基板等に搭載するために用いるホルダーに関する。また、当該ホルダーを用いてディスクドライブユニットを基板に固定するディスクドライブユニットの取付け構造、並びに、当該取付け構造によってディスクドライブユニットが搭載されている電子機器およびプリンターに関する。
【背景技術】
【０００２】
ディスクドライブユニット、例えば、ハードディスクドライブ（以下、本明細書では「ＨＤＤ」と呼ぶ場合もある。）は一般に偏平な直方体形状のモジュールユニットとして提供され、板金製のハードディスクドライブホルダー（以下、「ＨＤＤホルダー」と呼ぶ場合もある。）を用いて基板等の搭載場所に取り付けられる。ＨＤＤは、ＰＯＳプリンター等のプリンター、複写機、ファクシミリ、スキャナー、これらの複合機、および、その他の電子機器に組み込まれるコンピューターに広く用いられている。
【０００３】
特許文献１にはＨＤＤの取付け構造が提案されている。当該特許文献においては、ＨＤＤであるディスク記憶部の両側の端面が、板材を折り曲げて形成したＨＤＤホルダーである収容部の両側壁に、振動吸収部材を介して４本のネジによって固定されている。ＨＤＤが固定された収容部は、画像形成装置のプリント処理部に設けられた台座に取付けられる。
【先行技術文献】
【特許文献】
【０００４】
【特許文献１】特開２０１０−１３４０２５号公報
【発明の概要】
【発明が解決しようとする課題】
【０００５】
従来のＨＤＤホルダーにおいては、ＨＤＤを当該ＨＤＤホルダーに対して所定の高さ位置に正確に位置決めして固定することが困難な場合がある。例えば、特許文献１においては、４本のネジによってＨＤＤの両側の側面を、それぞれ、２本ずつのネジで、ＨＤＤホルダーの側壁に固定している。ＨＤＤおよびＨＤＤホルダーの製造誤差等によって精度良くＨＤＤを位置決め固定できないことがある。また、板金製のＨＤＤホルダーに歪等があると、当該ＨＤＤホルダーに４本のネジで固定されるＨＤＤの側に不要な力が作用するので好ましくない。
【０００６】
さらに、ＨＤＤホルダーに歪等がある場合には、ＨＤＤホルダーを回路基板等の部位に取り付ける際にも問題が生ずるおそれがある。特に、ＨＤＤホルダーにおける回路基板等への取付け部分に歪があると、ガタ付きなくＨＤＤホルダーを取り付けることができない場合がある。プリンター等の機器においては、各種の駆動機構が搭載されており、これらの駆動機構には大きな振動源となる機構もある。ＨＤＤが固定されたＨＤＤホルダーに確実に固定されていないと、外部からの振動によってＨＤＤが大きく振動してしまうので望ましくない。
【０００７】
本発明の課題は、このような点に鑑みて、ディスクドライブユニットを精度よく位置決め固定でき、固定したディスクドライブユニットの側に無理な応力が加わることのないドライブユニットのホルダーを提供することにある。
【０００８】
また、本発明の課題は、ディスクドライブユニットを基板等におけるディスクドライブユニット搭載場所にガタ付きなく確実に固定することのできるディスクドライブユニットのホルダーを提供することにある。
【０００９】
さらに、本発明の課題は、かかる新しいホルダーを用いたディスクドライブユニットの取付け構造、当該取付け構造を用いてディスクドライブユニットが搭載されている電子機器およびプリンターを提供することにある。
【課題を解決するための手段】
【００１０】
上記の課題を解決するために、本発明のディスクドライブユニットのホルダーは、
ホルダー面と、
前記ホルダー面から突出した状態に形成され、ディスクドライブユニットを前記ホルダー面から所定高さ位置に位置決め可能な少なくとも３つの位置決め用突出部と、
前記ホルダー面から突出した状態に形成され、前記位置決め用突出部に載せることによって位置決めされた前記ディスクドライブユニットに、前記ホルダー面に沿った方向からネジ締め固定可能な固定用突出部と、
を備えていることを特徴としている。
【００１１】
ディスクドライブユニットをホルダー面の位置決め用突出部に載せると、これらの位置決め用突出部とディスクドライブユニットとの間の３点接触によって、ディスクドライブユニットの位置決め用の面が規定され、ディスクドライブユニットはホルダーのホルダー面から所定高さ位置に位置決めされる。この状態で、一つあるいは複数の固定用突出部がネジ締めによりディスクドライブユニットに固定される。この結果、ディスクドライブユニットはホルダーのホルダー面から浮き上がった状態で当該ホルダーに固定される。
【００１２】
例えば、平面度の低いホルダー面に直接にディスドライブユニットをネジ締め等により固定すると、ディスクドライブユニットに無理な応力が加わるので好ましくない。ホルダー面にディスクドライブユニットを直付けする場合には、ホルダー面の平面度を高める必要がある。しかしながら、ホルダーは一般に板金加工によって製造されるので、平面度の高いホルダー面を形成することが困難な場合がある。本発明によれば、ホルダー面の平面度を高める必要がないので、ホルダーの製造が容易になる。
【００１３】
また、位置決めしたディスクドライブユニットに対して、一つあるいは複数の固定用突出部がホルダー面に沿った方向からネジ締めにより固定される。ホルダー面の平面度の影響を受けることなく、ディスクドライブユニットを確実にホルダーに固定できる。例えば、４つの固定用突出部をディスクドライブユニットの側面に固定することで、ディスクドライブユニットを４点固定によりホルダーに対して確実に固定することができる。
【００１４】
本発明のホルダーは板金加工によって製造することが望ましい。すなわち、
金属板からなるホルダー本体板部分を有し、
前記ホルダー本体板部分における一方の面が前記ホルダー面であり、
前記位置決め用突出部のそれぞれは、前記ホルダー本体板部分の一部を前記ホルダー面から突出する突出方向に曲げ起こして形成された位置決め用突出片であり、
前記固定用突出部のそれぞれは、前記ホルダー本体板部分の一部を前記ホルダー面から前記突出方向に曲げ起こして形成された固定用突出片であることが望ましい。
【００１５】
位置決め用突出片は金属板からなるホルダー本体板部分の一部を曲げ起こすことによって形成されるので、その高さを簡単に調整することができる。よって、３つの位置決め用突出片にディスクドライブユニットを載せることにより、ディスクドライブユニットをホルダー面から所定の高さの所に精度良く位置決めすることが容易である。
【００１６】
ディスクドライブユニットは一般に偏平な直方体形状をしているので、その底面を３点で支持して位置決めし、その両側の側面をそれぞれ２点で固定すればよい。この場合、本発明のホルダーは、
前記位置決め用突出片として、第１〜第３位置決め用突出片を備え、
前記固定用突出片として、第１〜第４固定用突出片を備え、
前記第１固定用突出片と前記第２固定用突出片は、前記ホルダー面に沿った方向である第１方向に離れた位置に配置され、
前記第３固定用突出片と前記第４固定用突出片は、前記第１方向に離れた位置に配置され、
前記第１、第２固定用突出片に対して、前記第３、第４固定用突出片は、前記第１方向に直交する前記ホルダー面に沿った方向である第２方向に離れた位置に配置され、
前記第１、第２位置決め用突出片は、前記第１方向において、前記第１、第２固定用突出片の間において相互に離れた位置に配置され、
前記第３位置決め用突出片は、前記第１方向において、前記第３、第４固定用突出片の間の位置に配置されていることが望ましい。
【００１７】
次に、ホルダーの４つの固定用突出片と、これらに対峙するディスクドライブユニットの側面部分との間には、公差分の隙間ができる。隙間が残った状態で、各固定用突出片にディスクドライブユニットの側面部分が固定されると、ディスクドライブユニットのガタ付きなどの弊害が発生する。そこで、本発明のホルダーの前記固定用突出片は、
固定用のネジが通される貫通穴が形成された本体部と、
前記ホルダー本体板部分に繋がっている根元部と、
を備え、
前記根元部は、前記本体部に比べて、撓みやすい形状に設定されていることが望ましい。
【００１８】
固定用突出片をディスクドライブユニットの側面部分にネジ締めにより固定すると、ネジ締めに伴う過剰が固定用突出片およびディスクドライブユニットの側面部分に作用することなく、固定用突出片の根元部が撓む。これにより、固定用突出片の本体部は、ディスクドライブユニットの側面部分に対して密着状態で固定される。よって、ディスクドライブユニットを確実にホルダーに固定することができる。
【００１９】
固定用突出片の根元部を撓み易くするために、本発明のホルダーでは、前記ホルダー本体板部分における前記根元部の内側の部位が切り起こされて１つの前記位置決め用突出片が形成されていることが望ましい。
【００２０】
位置決め用突出片を固定用突出片の根元部から切り起こすことで、当該根元部の剛性が低下して撓み易くなる。位置決め用突出片を切り起こすと根元部が撓み易くなるので、根元部を撓み易くするために、根元部の一部を切り取るなどの追加の加工が不要である。
【００２１】
次に、本発明のホルダーは、当該ホルダーの搭載対象である基板等におけるディスクドライブユニットの搭載部に取り付けるために設けたホルダー側取付け部を有し、
当該ホルダー側取付け部は、
前記搭載部に対してネジ締め固定される第１、第２および第３ホルダー側取付け部と、
前記搭載部に電気的に接続されるホルダー側導通部と、
を備えていることが望ましい。
【００２２】
３つの第１〜第３ホルダー側取付け部によって基板等の搭載部に対する搭載面が規定される。ホルダーを４点で基板等の搭載部に固定する場合には、製造誤差等によって、４つのホルダー側取付け部が同一平面上に位置しない場合がある。この状態のままホルダーを搭載部に固定すると、ホルダーに歪が生じ、そこに固定されているディスクドライブユニットに悪影響が及ぶおそれがある。本発明で、ホルダーを搭載部に対して３点で固定しているので、製造誤差等に影響されることなく、３つのホルダー側取付け部によって常に一つの平面が規定され、歪等を生ずることなくホルダーを搭載部の側の搭載面に固定することができる。
【００２３】
また、ホルダー側導通部を備えているので、ホルダーを、基板等の搭載部を介して、電気的に接地することができる。よって、板金製のホルダーを、ディスクドライブユニットに電磁波ノイズ、静電気ノズルの侵入を防止するシールド部材として有効利用することができる。
【００２４】
ホルダー側取付け部およびホルダー側導通部は、前記ホルダー本体板部分の両端に繋がっている金属板部分を折り曲げ加工することによって形成することができる。例えば、
前記ホルダー側取付け部は、
前記ホルダー本体板部分における前記第１方向の一方の端から前記突出方向とは逆の方向に延びる第１側板部分および第２側板部分と、
前記ホルダー本体部分における前記第１方向における他方の端から前記突出方向とは逆方向に延びる第３側板部分および第４側板部分と、
を備え、
前記第１ホルダー側取付け部は前記第１側板部分と連結され、
前記第２ホルダー側取付け部は前記第２側板部分と連結され、
前記第３ホルダー側取付け部は前記第３側板部分と連結され、
前記第４ホルダー側導通部は前記第４側板部分と連結されていることが望ましい。
【００２５】
ここで、前記ホルダー本体板部分における前記第４側板部分に繋がっている部分は、当該ホルダー本体板部分における前記第１〜第３側板部分に繋がっている部分に比べて、撓みやすい形状に設定されていることが望ましい。
【００２６】
基板等の搭載部に固定されるホルダー側導通部の部位が、製造誤差等によって、第１〜第３ホルダー側取付け部によって規定される平面上に位置していない場合がある。この場合には、ホルダー側導通部の撓みによって、そのような誤差が解消される。よって、ホルダー側導通部を搭載部に取り付けた際に、ホルダーの側に無理な力が加わることがない。
【００２７】
次に、本発明は、ディスクドライブユニットを基板に設定した搭載位置に取り付けるディスクドライブユニットの取付け構造であって、
上記構成のホルダーを有し、
前記ホルダーの前記位置決め用突出部によって、前記ホルダー面から所定の高さ位置に位置決めされた状態で、前記固定用突出部のそれぞれにディスクドライブユニットが固定され、
前記ディスクドライブユニットが位置決め固定された前記ホルダーの前記ホルダー側取付け部のそれぞれが前記搭載位置に固定されていることを特徴としている。
【００２８】
ここで、基板にＣＰＵチップ等の発熱源を覆う状態にヒートシンクが搭載され、当該ヒートシンクの上側にＨＤＤが配置される場合がある。この場合には、前記ヒートシンクと前記ディスクドライブユニットの間が、前記ホルダー本体板部分によって仕切られた状態で、前記ホルダーが前記搭載位置に固定されることが望ましい。
【００２９】
金属製のホルダー本体板部分によって、ヒートシンクからの輻射熱が遮断され、ディスクドライブユニットが過熱状態に陥ることが防止される。
【００３０】
また、基板の発熱源の近傍には一般に冷却ファンが搭載され、冷却風をヒートシンクに当てることにより、発生した熱を効率良く放出できるようになっている。この場合には、前記ディスクドライブユニットと前記ホルダーの前記ホルダー本体板部分の間の隙間が前記冷却ファンの吹き出し口に対峙する状態に、前記ホルダーが前記基板に固定されることが望ましい。
【００３１】
このようにすれば、冷却風が、ホルダーにおけるホルダー本体板部分とディスクドライブユニットの間の隙間を通って流れるので、効果的にディスクドライブユニットを冷却することができる。また、ディスクドライブユニットをホルダー本体板部分のホルダー面から浮かせている３つの位置決め用突出片は、ホルダー本体板部分の一部を曲げ起こすことにより形成するので、冷却風を通すために必要な隙間を確実かつ簡単に確保できる。
【００３２】
次に、本発明の電子機器は、上記構成のディスクドライブユニットの取付け構造によって、ディスクドライブユニットが基板に搭載されていることを特徴としている。
【００３３】
また、本発明のプリンターは、上記構成のディスクドライブユニットの取付け構造によってディスクドライブユニットが基板に搭載されていることを特徴としている。
【図面の簡単な説明】
【００３４】
【図１】本発明によるＨＤＤホルダーにＨＤＤを取り付けた状態の斜視図である。
【図２】図１のＨＤＤホルダー、ＨＤＤを異なる方向から見た場合の斜視図である。
【図３】図１のＨＤＤホルダー、ＨＤＤを矢印Ａの方向から見た場合の端面図である。
【図４】図１のＨＤＤホルダーからＨＤＤを外した状態を示す分解斜視図である。
【図５】図１のＨＤＤホルダーを示す斜視図および部分拡大図である。
【図６】図１のＨＤＤホルダーが取り付けられた基板を示す斜視図である。
【図７】図６の基板を図６の方向とは異なる方向から見た場合の斜視図である。
【図８】図６の基板を図６、７の方向とは異なる方向から見た場合の斜視図である。
【図９】図６の基板が組み込まれたプリンターの一例を示す斜視図である。
【発明を実施するための形態】
【００３５】
以下に、図面を参照して、本発明を適用したディスクドライブユニットのホルダー、当該ホルダーを用いたディスクドライブユニットの取付け構造およびプリンターの実施の形態を説明する。以下の説明は、ディスクドライブユニットおよびホルダーとして、ＨＤＤおよびＨＤＤを基板等に取り付けるために用いるＨＤＤホルダーを例に挙げて説明する。
【００３６】
（ＨＤＤの構成）
図１はＨＤＤが取り付けられたＨＤＤホルダーを示す斜視図であり、図２は図１の状態を異なる方向から見た場合の斜視図であり、図３は図１の状態を図１の矢印Ａの方向から見た場合の端面図である。図４はＨＤＤをＨＤＤホルダーから外した状態を示す分解斜視図である。
【００３７】
これらの図に示すように、ＨＤＤ１は偏平な直方体形状をしたユニットであり、矩形の上面２および底面３と、幅方向の両側の細長い矩形の側面４、５と、長さ方向の両端の細長い前端面６および後端面７を備えている。ＨＤＤ１は、４本の固定用のネジ８によって、ＨＤＤホルダー１０に固定されている。
【００３８】
図４に示すように、ＨＤＤ１の側面４には２個のネジ穴９が形成され、他方の側面５にも２つのネジ穴９が形成されている。ネジ穴９は、ＨＤＤ１の幅方向に延びるネジ穴である。ネジ穴９は、それぞれ、側面４、５における長さ方向の両側の端に近い位置に形成されている。
【００３９】
（ＨＤＤホルダーの構成）
図５（ａ）はＨＤＤホルダー１０を示す斜視図であり、図５（ｂ）はその一部を拡大して示す部分拡大斜視図である。図４および図５を主に参照して説明すると、ＨＤＤホルダー１０は、例えば０．８ｍｍ程度の厚さの金属板を加工して製造した板金製のものである。ＨＤＤホルダー１０は、ＨＤＤ１が取り付けられるＨＤＤ取付け部１１と、当該ＨＤＤホルダー１０を基板におけるＨＤＤ搭載部（後述の図６〜図８参照）に取り付けるためのホルダー側取付け部を有している。本例では、ホルダー側取付け部として、３箇所の第１〜第３ホルダー側取付け板部分１２（１）〜１２（３）と、１箇所のホルダー側導通板部分１３とを備えている。第１〜第３ホルダー側取付け板部分１２（１）〜１２（３）は、基板に対してネジ締め固定される。ホルダー側導通板部分１３は基板に対してネジ締め固定されて基板に対して電気的に接続される。
【００４０】
ＨＤＤ取付け部１１は、平坦なホルダー面１４と、ホルダー面１４から突出した状態に形成された位置決め用突出部としての３つの第１〜第３位置決め用突出片１５（１）〜１５（３）と、ＨＤＤ１がネジ締結により固定される固定用突出部としての４つの第１〜第４固定用突出片１６（１）〜１６（４）を備えている。
【００４１】
位置決め用突出片１５（１）〜１５（３）（以下の説明においては、これらを纏めて位置決め用突出片１５と呼ぶ場合もある。）は、ＨＤＤ１をホルダー面１４から僅かに浮かせた所定高さ位置、例えば０．５ｍｍ程度浮かせた位置に位置決めするためのものである。３つの位置決め用突出片１５（１）〜１５（３）の先端１５ａにＨＤＤ１の平坦な底面３を載せると、これらの間の３点接触によって規定される平面にＨＤＤ１が位置決めされる。位置決め用突出片１５を４つ以上形成しておくことも可能である。いずれの場合においても、３点接触するようにＨＤＤ１を３つの位置決め用突出片１５の先端１５ａに載せることにより、ＨＤＤ１が位置決めされる。
【００４２】
固定用突出片１６（１）〜１６（４）（以下の説明においては、これらを固定用突出片１６と呼ぶ場合もある。）は、ホルダー面１４から垂直に突出した状態に形成されている。固定用突出片１６には固定用のネジを通すための円形の貫通穴１６ａが形成されている。固定用突出片１６に対してホルダー面１４に沿った方向から固定用のネジ８を通して、３つの位置決め用突出片１５の先端１５ａに載せて位置決めされた状態のＨＤＤ１の対応するネジ穴９に締め込む。これにより、固定用突出片１６のそれぞれがＨＤＤ１の側面４、５に固定される。すなわち、ＨＤＤ１が４点固定の状態で、ＨＤＤホルダー１０に取り付けられた状態になる。
【００４３】
（ＨＤＤホルダーのＨＤＤ取付け部）
本例のＨＤＤホルダー１０の各部の構成を更に詳細に説明する。図４および図５を参照して説明すると、ＨＤＤホルダー１０のＨＤＤ取付け部１１は略矩形輪郭をした平坦なホルダー本体板部分２１を備えている。ホルダー本体板部分２１の平坦な上面が、ＨＤＤ１が取り付けられるホルダー面１４である。図４、５において矢印で示すように、ホルダー本体板部分２１における幅方向を第１方向Ｘとし、これに直交する長さ方向を第２方向Ｙとし、第１、第２方向Ｘ、Ｙに直交する高さ方向を第３方向Ｚとする。第１方向Ｘは、取り付けられたＨＤＤ１の幅方向に対応し、第２方向Ｙおよび第３方向Ｚはそれぞれ同状態のＨＤＤ１の長さ方向および厚さ方向に対応する。
【００４４】
ホルダー本体板部分２１には、その一部を切り起こして形成した第１〜第３位置決め用突出片１５（１）〜１５（３）が形成されている。位置決め用突出片１５は、ホルダー面１４に直交する第３方向Ｚに沿って、ホルダー本体板部分２１の一部をホルダー面１４から突出する方向に切り起こして形成されたものである。同様に、第１〜第４固定用突出片１６もホルダー本体板部分２１の一部を第３方向Ｚに沿ってホルダー面１４から垂直に突出方向に曲げ起こして、あるいは、切り起こして形成されたものである。
【００４５】
図５（ｂ）から分かるように、第１位置決め用突出片１５（１）および第１固定用突出片１６（１）は、ホルダー本体板部分２１における第１方向Ｘの一方の側の一方の角部に位置している。当該角部の部位を、第１方向Ｘの内側の辺を残した状態で矩形に切り取り、第３方向Ｚの上方に曲げ起こすことにより、第１固定用突出片１６（１）が形成されている。第１固定用突出片１６（１）は曲げ起こされた矩形の本体部１６ｂと、直角に湾曲して本体部１６ｂと本体板部分２１の部分に繋がっている根元部１６ｃを備えている。本体部１６ｂに円形の貫通穴１６ａが形成されている。
【００４６】
根元部１６ｃの部位は、第１方向Ｘの内側の辺を残した状態で矩形に切り取られ、第３方向Ｚの上方に向けて斜めに曲げ起こされて、第１位置決め用突出片１５（１）が形成されている。したがって、第１固定用突出片１６（１）の根元部１６ｃは、他の部分に比べて撓み易い形状となっている。特に、面外方向である第１方向Ｘに向けて撓み易い。なお、第１位置決め用突出片１５（１）を第１固定用突出片１６（１）の根元部１６ｃから離れた位置に形成することも可能である。
【００４７】
第２位置決め用突出片１５（２）および第２固定用突出片１６（２）は、ホルダー本体板部分２１における第１方向Ｘの他方の側の角部に形成されている。これら第２位置決め用突出片１５（２）、第２固定用突出片１６（２）は、第１位置決め用突出片１５（１）、第１固定用突出片１６（１）に対して線対称の状態に形成されている。
【００４８】
第３固定用突出片１６（３）は、第２固定用突出片１６（２）に対して第２方向Ｙに離れた位置に配置されており、第１方向Ｘにおいては第２固定用突出片１６（２）と同一位置にある。第２、第３固定用突出片１６（２）、１６（３）が配置されているホルダー本体板部分２１の側縁２２ａは、第３固定用突出片１６（３）が形成されている側に向けて第２方向Ｙに沿って直線状に延びている。側縁２２ａにおける第３固定用突出片１６（３）が形成されている側の角部分は矩形に切り取られて、第１方向Ｘの内側に向かう端縁部分２２ｂと、この内端から第２方向Ｙに向かう側縁部分２２ｃによって規定されている。第３固定用突出片１６（３）は、側縁部分２２ｃの一部から上方に曲げ起こされている。また、第３固定用突出片１６（３）の第１方向Ｘの内側に、第３位置決め用突出片１５（３）が第１位置決め用突出片１５（１）の場合と同様に切り起こされて形成されている。
【００４９】
これに対して、第４固定用突出片１６（４）は、第１固定用突出片１６（１）に対して第２方向Ｙに離れた位置であって、第３固定用突出片１６（３）に対峙した位置に配置されており、第１方向Ｘにおいては第１固定用突出片１６（１）と同一位置にある。ホルダー本体板部分２１における第１固定用突出片１６（１）が形成されている側の側縁は、第１固定用突出片１６（１）が形成されている側の角から第２方向Ｙに沿って直線状に延びる側縁部分２３ａと、側縁部分２３ａに連続して第１方向Ｘの内側に所定幅で凹状に切り取られた輪郭形状の側縁部分２３ｂと、これに連続して再び第１方向Ｘにおいて側縁部分２３ａと同一位置を直線状に第２方向Ｙに延びる側縁部分２３ｃを備えている。第４固定用突出片１６（４）は、側縁部分２３ｃの一部から上方に曲げ起こされている。
【００５０】
第４固定用突出片１６（４）の根元部１６ｃには、矩形の切り欠き部１６ｄが形成されている。これによって、根元部１６ｃが他の部分よりも撓み易くなっている。特に、面外方向である第１方向Ｘに撓み易くなっている。
【００５１】
（ＨＤＤホルダーのホルダー側取付け部）
次に、図４および図５を主に参照して、ホルダー側取付け部である第１〜第３ホルダー側取付け板部分１２（１）〜１２（３）およびホルダー側導通板部分１３について説明する。ホルダー本体板部分２１における第１方向Ｘにおける一方の側の直線状の側縁部分２３ａには、これに連続して、第１側板部分２５が形成されている。第１側板部分２５は、第３方向Ｚに沿って、ホルダー本体板部分２１の裏面側に直角に折れ曲がった方向に延びる一定高さの側板部分である。第１側板部分２５の下端部分に、矩形の第１ホルダー側取付け板部分１２（１）と矩形の第１位置決め板部分１８（１）が形成されている。
【００５２】
第１位置決め板部分１８（１）は、第１側板部分２５の下端縁における第１固定用突出片１５（１）の側の部分から第１方向Ｘの内側に向けて直角に折れ曲がって延びている。第１ホルダー側取付け板部分１２（１）は、第１側板部分２５の下端縁における第１位置決め板部分１８（１）から離れた部分から第１方向Ｘの外側に向けて直角に折れ曲がって延びている。この第１ホルダー側取付け部１２（１）には円形のネジ挿通用の貫通穴１２ａが形成されている。
【００５３】
本体板部分２１における第１方向Ｘの他方の側の直線状の側縁部分２２ａには、これに連続して、第２側板部分２６および第３側板部分２７が形成されている。第２側板部分２６は、側縁部分２２ａにおける第２固定用突出片１６（２）の側の部分から第３方向Ｚの下側に直角に延びている。第３側板部分２７は、側縁部分２２ａにおける第３固定用突出片１６（３）の側の部分から第３方向Ｚの下側に直角に延びている。
【００５４】
第２側板部分２６の先端である下端部の一方の側の部分は、第１方向Ｘの内側に直角に折れ曲がって延びる第２位置決め板部分１８（２）となっている。他方の側の部分は、第１方向Ｘの外側に直角に折れ曲がって延びる長方形の連結板部分２８の一端に連続している。連結板部分２８の他方の端は第３側板部分２７の下端に繋がっている。この連結板部分２８における第１側板部分２６に繋がっている部分が第２ホルダー側取付け板部分１２（２）として機能する。ここには、固定用のネジを通すための円形の貫通穴１２ｂが形成されている。同様に、連結板部分２８における第３側板部分２７に繋がっている部分が第３ホルダー側取付け板部分１２（３）として機能する。ここにも、固定用のネジを通すための円形の貫通穴１２ｃが形成されている。
【００５５】
一方、ホルダー本体板部分１２における第４固定用突出片１６（４）が形成されている側の角部分は、第２方向Ｙから第１方向Ｘに向けて、ホルダー本体板部分２１の外方に斜めに延長した延長板部分２９となっている。延長板部分２９はホルダー本体板部分２１と同一平面に沿って延びている。延長板部分２９はホルダー本体板部分２１から片持ち状態で延びており、他のホルダー本体板部分２１に比べて撓み易くなっている。特に、面外方向の剛性が低く、第３方向Ｚに撓みやすくなっている。この延長板部分２９の先端縁が側縁部分２３ｃであり、この側縁部分２３ｃには、第３方向Ｚの下方に直角に折れ曲がって延びる第４側板部分３０が連続している。第４側板部分３０の先端である下端縁には第１方向Ｘの外側に直角に折れ曲がって延びる矩形のホルダー側導電板部分１３が形成されている。ホルダー導電板部分１３には、固定用のネジを通すための円形の貫通穴１３ａが形成されている。
【００５６】
（ＨＤＤホルダーのＨＤＤ取付け部の作用効果）
図３から分かるように、ＨＤＤホルダー１０のＨＤＤ取付け部１１のホルダー面１４上には、第１〜第３位置決め用突出片１５（１）〜１５（３）による３点支持の状態で、ＨＤＤ１が位置決めされる。すなわち、ホルダー面１４から僅かに浮き上がった状態でＨＤＤ１が位置決めされる。この状態で、第１〜第４固定用突出片１６（１）〜１６（４）のそれぞれが、ＨＤＤ１の側面４、５に対してネジ８によって４点で固定される。
【００５７】
ＨＤＤ１はホルダー面１４から浮き上がった状態に取り付けられるので、平面度の低いホルダー面１４が形成されていた場合であっても、それがＨＤＤ１に影響を与えることが無い。また、ＨＤＤ１をホルダー面１４に直に固定する場合には、ホルダー面１４を例えば０．１ｍｍ程度の高い平面度となるように製造する必要があるが、このような精度が要求されないので、板金製のＨＤＤホルダー１０の製造が容易になる。
【００５８】
また、図４、図５から分かるように、第１〜第３固定用突出片１６（１）〜１６（３）の根元部１６ｃは、その内側に位置決め用突出片１５が切り起こされているので、面外方向の剛性が低く、撓み易い。同様に、第４固定用突出片１６（４）の根元部１６ｃには矩形の切り欠き部１６ｄが形成されており、撓み易い。ＨＤＤ１を、第１、第４固定用突出片１６（１）、１６（４）と第２、第３固定用突出片１６（２）、１６（３）の間に位置決めした場合に、これらの公差によって、あるいは製造誤差等に起因して、各固定用突出片１６とＨＤＤ１の側面４、５との間には僅かではあるが隙間ができる。ネジ８によって固定用突出片１６を側面４、５の側に固定すると、固定用突出片１６が側面４、５の側に撓み、隙間の無い状態で側面４、５に固定される。よって、ＨＤＤ１をガタ付きなく確実にＨＤＤホルダー１０に固定することができる。
【００５９】
（ＨＤＤの取付け構造）
次に、図６は、上記のように構成されたＨＤＤホルダー１０を用いてＨＤＤ１をＰＣ基板のＨＤＤ搭載部に固定するＨＤＤの取付け構造を示す斜視図である。図７および図８は、それぞれ図６とは異なる方向から見た場合のＨＤＤの取付け構造を示す斜視図である。これらの図を参照して、ＨＤＤホルダー１０を用いてＨＤＤ１をＰＣ基板のＨＤＤ搭載部に固定するＨＤＤの取付け構造の一例を説明する。
【００６０】
これらの図において、ＰＣ基板４０は板金製のものであり、矩形の底板部分４１と、底板部分４１の前端縁から直角に曲げ起こされている端板部分４２を備えている。底板部分４１には、ＣＰＵチップ（図示せず）を含む各種の部品が搭載された回路基板４３が取り付けられている。また、ＣＰＵチップ等の発熱源を覆い隠す状態にブロック状のヒートシンク４４が搭載されている。ヒートシンク４４の側方には、底板部分４１に取り付けた冷却ファン４５が配置されている。冷却ファン４５の吹き出し口はヒートシンク４４に対峙しており、そこから吹き出される冷却風の吹き出し方向は、回路基板４３の表面に沿った方向となっている。
【００６１】
ＨＤＤ１を固定したＨＤＤホルダー１０は、そのホルダー本体板部分２１がヒートシンク４４を覆う状態となるように、底板部分４１に固定される。すなわち、底板部分４１における回路基板４３の幅方向の一方の側の部位には、１個の固定用の第１ネジ止め部４６（１）および導通用ネジ止め部４７が設けられており、他方の側には２個の固定用の第２、第３ネジ止め部４６（２）、４６（３）が設けられている。また、ホルダー位置決め部４８（１）、４８（２）が形成されている。これらの第１〜第３ネジ止め部４６（１）〜４６（３）、導通用ネジ止め部４７、および、ホルダー位置決め部４８（１）、４８（２）は、それぞれ、ＨＤＤホルダー１０の第１〜第３ホルダー側取付け板部分１２（１）〜１２（３）、ホルダー側導通板部分１３、および第１、第２位置決め板部分１８（１）、１８（２）に対応する位置に設けられている。
【００６２】
ＨＤＤホルダー１０の第１、第２位置決め板部分１８（１）、１８（２）を、ＰＣ基板４０の第１、第２ホルダー位置決め部４８（１）、４８（２）に位置決めする。この状態で、第１〜第３ホルダー側取付け板部分１２（１）〜１２（３）のそれぞれを、固定用のネジ４９によって、ＰＣ基板４０の側の第１〜第３ネジ止め部４６（１）〜４６（３）に固定する。同様に、ホルダー側導通板部分１３をネジ５０によって導通用ネジ止め部４７に固定する。この結果、図６〜図８に示すように、ヒートシンク４４を覆う状態にＨＤＤホルダー１０がＰＣ基板４０に固定される。
【００６３】
ＨＤＤホルダー１０は、第１〜第３ホルダー側取付け板部分１２（１）〜１２（３）による３点固定により、ＰＣ基板４０に固定される。３点固定であるので、４点固定等の場合とは異なり、ＨＤＤホルダー１０をＰＣ基板４０に固定した場合に、双方の部材１０、４０の製造誤差等に起因して、無理な応力が発生することがない。換言すると、双方の部材１０、４０の取付け部分に製造誤差があっても、歪、変形を伴うことなく、ＨＤＤホルダー１０をＰＣ基板４０に固定できる。
【００６４】
また、ＨＤＤホルダー１０のホルダー側導電板部分１３をＰＣ基板４０の導電用ネジ止め部４７に固定することで、双方の部材１０、４０が導通してＨＤＤホルダー１０が電気的に接地される。したがって、板金製のＨＤＤホルダー１０を電磁波ノイズ、静電気ノイズのシールド板として機能させることができる。しかも、ホルダー側導電板部分１３はＨＤＤホルダー１０のホルダー本体板部分２１から延びる延長板部分２９の先に形成されているので、剛性が低く撓みやすい。したがって、ホルダー側導電板部分１３をＰＣ基板４０の導電用ネジ止め部４７に固定する際に、これらの間に製造誤差等に起因して隙間等があっても、延長板部分２９の撓みによって隙間無く確実に接触させることができ、また、ＨＤＤホルダー１０のホルダー本体板部分２１の側に歪、変形が生ずることもない。
【００６５】
次に、ＨＤＤホルダー１０のホルダー本体板部分２１は、図８から分かるように、ＨＤＤ１とヒートシンク４４の間を仕切っている。したがって、ヒートシンク４４の輻射熱がホルダー本体板部分２１によって遮断されるので、ＨＤＤ１がヒートシンク４４からの輻射熱によって過熱状態に陥ることがない。
【００６６】
また、ＨＤＤホルダー１０をＰＣ基板４０に取り付けると、図６、図７から分かるように冷却ファン４５の吹き出し口の側の部分が、ＨＤＤホルダー１０のホルダー本体板部分２１における一方の凹状の側縁部分２３ｂに差し込まれた状態になる。したがって、冷却ファン４５の吹き出し口が、ＨＤＤホルダー１０のホルダー本体板部分２１とＨＤＤ１の間の隙間に対峙する。よって、冷却ファン４５から吹き出された冷却風の一部は、ＨＤＤホルダー１０のホルダー本体板部分２１とＨＤＤ１の間の隙間を通って流れる。冷却風が通ることで、ＨＤＤ１の冷却を効率良く行うことができる。
【００６７】
ここで、ホルダー本体板部分２１とＨＤＤ１の間の隙間は、３本の位置決め用突出片１５の突出量によって規定されている。位置決め用突出片１５はホルダー本体板部分２１の一部を切り起こすことによって形成されているので、突出量の調整が容易である。よって、冷却風を通ることのできる隙間を確保することが容易である。
【００６８】
（プリンターの例）
図９は、上記のように、ＨＤＤホルダー１０を用いてＨＤＤ１が搭載されたＰＣ基板４０が組み込まれたプリンターの一例を示す説明図である。プリンター６０は例えばＰＯＳプリンターであり、全体として直方体形状のプリンターケース６１の上面部分にカッター付きのジャーナル発行口６２が形成されている。また、その前面部分には単票紙の挿入口６３が形成され、ここから挿入して印刷された単票紙が、プリンターケース６１の上面部分におけるジャーナル発行口６２の前側に形成した排出口６４から排出される。プリンターケース６１の下半部分の内部に、図において破線で示すように、ＰＣ基板４０が組み込まれている。
【００６９】
なお、本発明のディスクドライブユニットのホルダー、ディスクドライブユニットの取付け構造は、複写機、スキャナー、ファクシミリ等のプリンター以外の各種のデータ処理装置あるいは電子機器に適用可能である。
【符号の説明】
【００７０】
１  ＨＤＤ、２  上面、３  底面、４，５  側面、６  前端面、７  後端面、８  ネジ、１０  ＨＤＤホルダー、１１  ＨＤＤ取付け部、１２（１）〜１２（３）  ホルダー側取付け板部分、１２ａ〜１２ｃ  貫通穴、１３  ホルダー側導通板部分、１３ａ  貫通穴、１４  ホルダー面、１５（１）〜１５（３）  位置決め用突出片、１６（１）〜１６（４）  固定用突出片、１５ａ  先端、１６ａ  貫通穴、１６ｂ  本体部、１６ｃ  根元部、１６ｄ  切り欠き部、１８（１），１８（２）  位置決め板部分、２１  ホルダー本体板部分、２２ａ  側縁、２２ｂ  端縁部分、２２ｃ  側縁部分、２３ａ  側縁部分、２３ｂ  側縁部分、２３ｃ  側縁部分、２５  第１側板部分、２６  第２側板部分、２７  第３側板部分、２８  連結板部分、２９  延長板部分、３０  第４側板部分、４０  ＰＣ基板、４１  底板部分、４２  端板部分、４３  回路基板、４４  ヒートシンク、４５  冷却ファン、４６（１）〜４６（３）  ネジ止め部、４７  導通用ネジ止め部、４８（１），４８（２）  ホルダー位置決め部、４９  ネジ、５０  ネジ、６０  プリンター、６１  プリンターケース、６２  ジャーナル発行口、６３  挿入口、６４  排出口、Ｘ  第１方向、Ｙ  第２方向、Ｚ  第３方向
【図１】
2015015066.tif 000003
【図２】
2015015066.tif 000004
【図３】
2015015066.tif 000005
【図４】
2015015066.tif 000006
【図５】
2015015066.tif 000007
【図６】
2015015066.tif 000008
【図７】
2015015066.tif 000009
【図８】
2015015066.tif 000010
【図９】
2015015066.tif 000011